(57)【特許請求の範囲】
【請求項１】
傾斜した野地板の表面に取り付けられ、この表面に沿った水平方向に延びる瓦桟を設け、上記野地板の表面に沿った傾斜方向で順次敷設される上側、下側瓦のうち、下側瓦の上記傾斜方向での上端部を上記瓦桟上に載置させると共にこの瓦桟に固定し、上側瓦の上記傾斜方向での下端部を上記下側瓦の上端部に載置させ、上記各瓦を互いに固定させる固定具を設け、
上記瓦が、上記水平方向および傾斜方向に沿ってほぼ平坦に延びる瓦本体と、この瓦本体の上記傾斜方向での上端部に上記垂直方向での下方に向って突出するよう一体成形されて上記瓦桟に掛脱自在に掛止され上記傾斜方向での下方への上記瓦本体の移動を阻止する掛止突起と、上記瓦本体の上記水平方向での左右一側部からその外側方に向って一体的に突出すると共に上記垂直方向での上面が上記傾斜方向の下方に向って延びる樋形状とされる水切部とを備えた建物の屋根において、
上記固定具が、上記上側瓦の下端部に係脱自在に係止される第１係止部と、上記下側瓦の上端部に係脱自在に係止される第２係止部と、上記第１係止部と第２係止部とを上記のように係止させるようにそれぞれ付勢するばねとを備え、
上記固定具を全体的に弾性のある板金材で成形し、上記第１係止部、第２係止部、およびばねを互いに一体成形し、
上記第１係止部が、上記上側瓦の上記水切部の外側縁部に上記垂直方向での上方から嵌合してこの外側縁部に係止され、上記第２係止部が、上記下側瓦の上記掛止突起に上記垂直方向での下方から嵌合してこの掛止突起に係止されるようにした建物の屋根における瓦同士の固定装置。
【発明の詳細な説明】
【０００１】
【発明が属する技術分野】
本発明は、建物の屋根の野地板上に取り付けられる各瓦を互いに固定させる建物の屋根における瓦同士の固定装置に関するものである。
【０００２】
【従来の技術】
上記建物の屋根における瓦同士の固定装置は、従来、次のように構成されている。
【０００３】
即ち、傾斜した野地板の表面に取り付けられ、この表面に沿った水平方向に延びる瓦桟が設けられ、上記野地板の表面に沿った傾斜方向で順次敷設される上側、下側瓦のうち、下側瓦の上記傾斜方向での上端部が上記瓦桟上に載置されると共にこの瓦桟に固定され、上側瓦の上記傾斜方向での下端部が上記下側瓦の上端部に載置させられ、上記瓦を互いに固定させる固定具が設けられている。
【０００４】
【発明が解決しようとする課題】
ところで、上記従来の技術では、上記固定具は上記各瓦にそれぞれ単に係止させられているだけのため、上記各瓦の上記傾斜方向での各下端部が、風圧等の外力により、がたつくおそれがあって、好ましくない。
【０００５】
本発明は、上記のような事情に注目してなされたもので、建物の屋根において、固定装置により野地板上の各瓦を互いに固定させる場合に、各瓦同士の固定がより強固になされるようにし、かつ、このようにした場合でも、各瓦同士の固定作業が容易にできるようにすると共に、上記固定装置の構成が複雑にならないようにすることを課題とする。
【０００６】
【課題を解決するための手段】
上記課題を解決するための本発明の建物の屋根における瓦同士の固定装置は、次の如くである。
【０００７】
請求項１の発明は、傾斜した野地板３の表面に取り付けられ、この表面に沿った水平方向Ｈに延びる瓦桟５を設け、上記野地板３の表面に沿った傾斜方向Ｓで順次敷設される上側、下側瓦７（Ａ），７（Ｂ）のうち、下側瓦７（Ｂ）の上記傾斜方向Ｓでの上端部７ａを上記瓦桟５上に載置させると共にこの瓦桟５に固定し、上側瓦７（Ａ）の上記傾斜方向Ｓでの下端部７ｂを上記下側瓦７（Ｂ）の上端部７ａに載置させ、上記各瓦７（Ａ），７（Ｂ）を互いに固定させる固定具９を設け、
【０００８】
上記瓦７が、上記水平方向Ｈおよび傾斜方向Ｓに沿ってほぼ平坦に延びる瓦本体１７と、この瓦本体１７の上記傾斜方向Ｓでの上端部に上記垂直方向Ｖでの下方に向って突出するよう一体成形されて上記瓦桟５に掛脱自在に掛止され上記傾斜方向Ｓでの下方への上記瓦本体１７の移動を阻止する掛止突起１８と、上記瓦本体１７の上記水平方向Ｈでの左右一側部からその外側方に向って一体的に突出すると共に上記垂直方向Ｖでの上面が上記傾斜方向Ｓの下方に向って延びる樋形状とされる水切部１９とを備えた建物の屋根において、
【０００９】
上記固定具９が、上記上側瓦７（Ａ）の下端部７ｂに係脱自在に係止される第１係止部２３と、上記下側瓦７（Ｂ）の上端部７ａに係脱自在に係止される第２係止部２４と、上記第１係止部２３と第２係止部２４とを上記のように係止させるようにそれぞれ付勢するばね２６とを備え、
【００１０】
上記固定具９を全体的に弾性のある板金材で成形し、上記第１係止部２３、第２係止部２４、およびばね２６を互いに一体成形し、
【００１１】
上記第１係止部２３が、上記上側瓦７（Ａ）の上記水切部１９の外側縁部１９ａに上記垂直方向Ｖでの上方から嵌合してこの外側縁部１９ａに係止され、上記第２係止部２４が、上記下側瓦７（Ｂ）の上記掛止突起１８に上記垂直方向Ｖでの下方から嵌合してこの掛止突起１８に係止されるようにしたものである。
【００１２】
【発明の実施の形態】
以下、本発明の実施の形態を図面により説明する。
【００１３】
図において、符号１は建物で、この建物１の屋根２は傾斜した野地板３を備えている。この野地板３の表面にねじなどによって取り付けられ、上記野地板３の表面に沿った水平方向Ｈに延びる木製の瓦桟５が設けられ、この瓦桟５は上記野地板３の表面に沿った傾斜方向Ｓでほぼ等間隔に複数本が設けられている。なお、上記瓦桟５は板金製であってもよい。
【００１４】
上記野地板３上には、上記水平方向Ｈに沿って複数の瓦７が順次敷設されており、また、上記傾斜方向Ｓに沿って複数の瓦７が順次敷設され、この傾斜方向Ｓに沿って敷設される各瓦７は千鳥状に配置されている。
【００１５】
上記傾斜方向Ｓで順次敷設される上側瓦７（Ａ）と、この上側瓦７（Ａ）よりも上記傾斜方向Ｓでの下側でこれに隣接して敷設される下側瓦７（Ｂ）とのうち、この下側瓦７（Ｂ）の上記傾斜方向Ｓでの上端部７ａが上記瓦桟５上に載置され、上側瓦７（Ａ）の上記傾斜方向Ｓでの下端部７ｂが上記下側瓦７（Ｂ）の上端部７ａ上に載置されている。
【００１６】
上記各瓦７同士を互いに固定させる固定装置８が設けられ、この固定装置８は、上記各瓦７を互いに固定させる固定具９を備えている。
【００１７】
前記瓦７は、上記水平方向Ｈおよび傾斜方向Ｓに沿ってほぼ平坦に延びる瓦本体１７と、この瓦本体１７の上記傾斜方向Ｓでの上端部に上記垂直方向Ｖでの下方に向って突出するよう一体成形されて上記瓦桟５に掛脱自在に掛止され上記傾斜方向Ｓでの下方への上記瓦本体１７の移動を阻止する掛止突起１８と、上記瓦本体１７の上記水平方向Ｈでの左右一側部からその外側方に向って一体的に突出すると共に上記垂直方向Ｖでの上面が上記傾斜方向Ｓの下方に向って延びる樋形状とされる水切部１９と、上記瓦本体１７の上記水平方向Ｈでの他側部における垂直方向Ｖでの下面側に形成されて上記水平方向Ｈで隣接する他の瓦７の水切部１９を収容可能とする収容部２０とを備えている。
【００１８】
上記の場合、図示しないが、上記掛止突起１８の水平方向Ｈにおける複数部分は上記傾斜方向Ｓで、瓦桟５の傾斜方向Ｓでの上面に当接している。また、上記水切部１９の外側縁部１９ａは上記垂直方向Ｖでの上方に向って突出し、かつ、上記傾斜方向Ｓに延びる突条部となっている。
【００１９】
上記固定具９は、上記上側瓦７（Ａ）の下端部７ｂに係脱自在に係止される第１係止部２３と、上記下側瓦７（Ｂ）の上端部７ａに係脱自在に係止される第２係止部２４と、上記第１係止部２３と第２係止部２４とを一体的に結合させる結合部２５と、上記第１係止部２３と第２係止部２４とを上記のように係止させるようにそれぞれ弾性的に付勢するばね２６とを備えている。
【００２０】
上記固定具９は、一枚の弾性板金材をプレス加工することにより成形されたものであり、上記固定具９は、全体的に弾性を有し、上記第１係止部２３、第２係止部２４、結合部２５、およびばね２６は互いに一体成形されている。
【００２１】
より具体的には、上記第１係止部２３、第２係止部２４、および結合部２５の組み合せ体２３〜２５は、上記水平方向Ｈに沿った視線でみて（図１）、上記傾斜方向Ｓでの下方に向って開くほぼコの字形状とされ、上記傾斜方向Ｓに沿った視線でみて（図３）、ほぼ直線形状とされている。
【００２２】
上記組み合せ体２３〜２５を、上記傾斜方向Ｓに沿った視線でみて（図３）、上記垂直方向Ｖに沿って延びる「起立姿勢」（図１，３中一点鎖線）とさせたとき、上記組み合せ体２３〜２５は、上記上側瓦７（Ａ）の水切部１９の外側縁部１９ａと、上記下側瓦７（Ｂ）の上端部７ａの掛止突起１８との組み合せ体１９，１８に対し、上記垂直方向Ｖでの上方から遊嵌状に嵌脱自在に外嵌可能とされている。
【００２３】
上記ばね２６は、上記第１係止部２３から一体的に突出して、上記下側瓦７（Ｂ）の上端部７ａの上記垂直方向Ｖでの上面に圧接可能とされている。上記ばね２６の圧接による反力で、上記傾斜方向Ｓに沿った視線でみたとき（図３）、上記固定具９の組み合せ体２３〜２５は上記垂直方向Ｖに対し傾斜する「傾斜姿勢」とされ（各図実線）、この際、上記第１係止部２３が、上記上側瓦７（Ａ）の上記水切部１９の外側縁部１９ａに上記垂直方向Ｖでの上方から嵌合してこの水切部１９に弾性的に係止させられ、上記第２係止部２４が、上記下側瓦７（Ｂ）の上記掛止突起１８に上記垂直方向Ｖでの下方から嵌合してこの掛止突起１８に弾性的に係止させられるようになっている。
【００２４】
そして、上記した固定具９のそれぞれの係止により、上記上側瓦７（Ａ）の下端部７ｂと、下側瓦７（Ｂ）の上端部７ａとが互いに強固に固定される。
【００２５】
上記固定具９により、上記瓦７（Ａ），７（Ｂ）同士を互いに固定させる作業を簡説すると、まず、上記固定具９の組み合せ体２３〜２５を上記した「傾斜姿勢」にさせ、次に、図１中二点鎖線で示すように、上記第１係止部２３を上記上側瓦７（Ａ）の水切部１９の外側縁部１９ａに係止させると共に、上記ばね２６を上記下側瓦７（Ｂ）の上端部７ａの上面に接合させる。
【００２６】
次に、上記状態のままで、図３中一点鎖線で示すように、上記固定具９の第１係止部２３を中心として、上記ばね２６の付勢力に対抗しながら、上記第２係止部２４側を回動させ、上記固定具９を前記「起立姿勢」にさせる。
【００２７】
次に、図１中一点鎖線のように、上記固定具９の前記組み合せ体２３〜２５を各瓦７（Ａ），７（Ｂ）による前記組み合せ体１９，１８に外嵌させる。
【００２８】
次に、上記固定具９への外力を解除すれば、上記固定具９は、上記下側瓦７（Ｂ）に対する上記ばね２６の圧接力の反力によって、前記「傾斜姿勢」とされ、もって、前記したように、この固定具９による各瓦７（Ａ），７（Ｂ）同士の固定がなされる。
【００２９】
上記固定を解除するときには、上記と逆の手順によればよい。
【００３０】
上記構成によれば、固定具９が、上記上側瓦７（Ａ）の下端部７ｂに係脱自在に係止される第１係止部２３と、上記下側瓦７（Ｂ）の上端部７ａに係脱自在に係止される第２係止部２４と、上記第１係止部２３と第２係止部２４とを上記のように係止させるようにそれぞれ付勢するばね２６とを備えている。
【００３１】
このため、上記固定具９の第１係止部２３と第２係止部２４を各瓦７（Ａ），７（Ｂ）の下端部７ｂと上端部７ａとに係止させたとき、これら各係止は弾性的になされることから、単に、係止のみをしていた従来の技術に比べて、上記固定具９による各瓦７（Ａ），７（Ｂ）同士の固定が強固になされることとなり、上記各瓦７が風圧等の外力でがたつくということはより確実に防止される。
【００３２】
また、上記したように、各瓦７（Ａ），７（Ｂ）に対する固定具９の各係止は弾性的になされるため、上記各瓦７（Ａ），７（Ｂ）に多少の寸法誤差があるとしても、この誤差は、上記ばね２６の弾性変形により吸収されることとなる。
【００３３】
よって、その分、上記固定具９による瓦７（Ａ），７（Ｂ）同士の固定作業はより容易にできる。
【００３４】
また、前記したように、固定具９を全体的に弾性のある板金材で成形し、上記第１係止部２３、第２係止部２４、結合部２５、およびばね２６を互いに一体成形してある。
【００３５】
このため、上記各瓦７（Ａ），７（Ｂ）に固定具９を弾性的に係止させるようにはしたが、この固定具９の部品点数が増えることは抑制される。
【００３６】
よって、上記固定具９による各瓦７（Ａ），７（Ｂ）同士の固定が強固になされるようにした場合でも、固定装置８の構成が複雑になることは防止される。
【００３７】
また、前記したように、第１係止部２３が、上記上側瓦７（Ａ）の上記水切部１９の外側縁部１９ａに上記垂直方向Ｖでの上方から嵌合してこの水切部１９に係止され、上記第２係止部２４が、上記下側瓦７（Ｂ）の上記掛止突起１８に上記垂直方向Ｖでの下方から嵌合してこの掛止突起１８に係止されるようにしてある。
【００３８】
ここで、上記水切部１９の外側縁部１９ａは、上記垂直方向Ｖで上方に突出する部分であり、また、上記掛止突起１８は下方に突出する部分であるため、上記固定具９の第１係止部２３と第２係止部２４のそれぞれの係止状態は、より確実に保持される。
【００３９】
よって、その分、上記固定具９による各瓦７（Ａ），７（Ｂ）同士の強固な固定は、より確実になされる。
【００４０】
【発明の効果】
本発明による効果は、次の如くである。
【００４１】
請求項１の発明は、傾斜した野地板の表面に取り付けられ、この表面に沿った水平方向に延びる瓦桟を設け、上記野地板の表面に沿った傾斜方向で順次敷設される上側、下側瓦のうち、下側瓦の上記傾斜方向での上端部を上記瓦桟上に載置させると共にこの瓦桟に固定し、上側瓦の上記傾斜方向での下端部を上記下側瓦の上端部に載置させ、上記各瓦を互いに固定させる固定具を設け、
【００４２】
上記瓦が、上記水平方向および傾斜方向に沿ってほぼ平坦に延びる瓦本体と、この瓦本体の上記傾斜方向での上端部に上記垂直方向での下方に向って突出するよう一体成形されて上記瓦桟に掛脱自在に掛止され上記傾斜方向での下方への上記瓦本体の移動を阻止する掛止突起と、上記瓦本体の上記水平方向での左右一側部からその外側方に向って一体的に突出すると共に上記垂直方向での上面が上記傾斜方向の下方に向って延びる樋形状とされる水切部とを備えた建物の屋根において、
【００４３】
上記固定具が、上記上側瓦の下端部に係脱自在に係止される第１係止部と、上記下側瓦の上端部に係脱自在に係止される第２係止部と、上記第１係止部と第２係止部とを上記のように係止させるようにそれぞれ付勢するばねとを備えている。
【００４４】
このため、上記固定具の第１係止部と第２係止部を各瓦の下端部と上端部とに係止させたとき、これら各係止は弾性的になされることから、単に、係止のみをしていた従来の技術に比べて、上記固定具による各瓦同士の固定が強固になされることとなり、上記各瓦が風圧等の外力でがたつくということはより確実に防止される。
【００４５】
また、上記したように、各瓦に対する固定具の各係止は弾性的になされるため、上記各瓦に多少の寸法誤差があるとしても、この誤差は、上記ばねの弾性変形により吸収されることとなる。
【００４６】
よって、その分、上記固定具による瓦同士の固定作業はより容易にできる。
【００４７】
また、上記固定具を全体的に弾性のある板金材で成形し、上記第１係止部、第２係止部、結合部、およびばねを互いに一体成形してある。
【００４８】
このため、上記各瓦に固定具を弾性的に係止させるようにはしたが、この固定具の部品点数が増えることは抑制される。
【００４９】
よって、上記固定具による各瓦同士の固定が強固になされるようにした場合でも、固定装置の構成が複雑になることは防止される。
【００５０】
また、上記第１係止部が、上記上側瓦の上記水切部の外側縁部に上記垂直方向での上方から嵌合してこの外側縁部に係止され、上記第２係止部が、上記下側瓦の上記掛止突起に上記垂直方向での下方から嵌合してこの掛止突起に係止されるようにしてある。
【００５１】
ここで、上記水切部の外側縁部は、上記垂直方向で上方に突出する部分であり、また、上記掛止突起は下方に突出する部分であるため、上記固定具の第１係止部と第２係止部のそれぞれの係止状態は、より確実に保持される。
【００５２】
よって、その分、上記固定具による各瓦同士の強固な固定は、より確実になされる。
【図面の簡単な説明】
【図１】図２の１‐１線矢視断面図である。
【図２】屋根の斜視図である。
【図３】図１の３‐３線矢視断面図である。
【符号の説明】
１      建物
２      屋根
３      野地板
４      取付具
５      瓦桟
７      瓦
７ａ    上端部
７ｂ    下端部
８      固定装置
９      固定具
１７    瓦本体
１８    掛止突起
１９    水切部
１９ａ  外側縁部
２０    収容部
２３    第１係止部
２４    第２係止部
２５    結合部
２６    ばね
Ｈ      水平方向
Ｓ      傾斜方向
Ｖ      垂直方向
【図１】
0003626396.tif 000002
【図２】
0003626396.tif 000003
【図３】
0003626396.tif 000004